(57)【要約】【課題】多数の記録媒体の中から所望の画像データや音楽データを簡単に検索することができる再生装置及び制御プログラム並びに記録媒体の提供。【解決手段】記録媒体に取り付けられたＩＤ情報記録手段からＩＤ情報を読み取る手段１６と、予め記録された対応付け情報を参照して、ＩＤ情報に対応づけられた、記録媒体に記録された元のデータに基づいて作成されたダイジェストデータの保存場所を特定する記録位置特定情報を取得し、該情報を参照してダイジェストデータを読み取る手段１７と、読み取ったダイジェストデータを表示手段１２に表示又は発音手段１３に発音させるデータ再生手段１５とを少なくとも備え、ダイジェストデータを視聴することにより記録媒体にどのようなデータが記録されているかを簡単に確認できるため、多数の記録媒体の中から所望の画像データや音楽データを簡単に検索できる。【選択図】図６
2005166131.tif 000002
【特許請求の範囲】
【請求項１】
記録領域に記録されている元のデータに基づいて作成された縮小版データの保存場所を特定する情報に対応づけられた記録媒体の識別情報が記録された記録手段が、前記記録領域とは異なる場所に取り付けられていることを特徴とする記録媒体。
【請求項２】
前記元のデータは、画像データ、動画データ又は音楽データのいずれかを含み、前記縮小版データは、前記画像データのサイズを縮小したデータ、動画データの再生時間を短縮したデータ又は音楽データの再生時間を短縮したデータのいずれかを含むことを特徴とする請求項１記載の記録媒体。
【請求項３】
前記記録手段は、ＲＦＩＤタグ又はバーコードであることを特徴とする請求項１又は２に記載の記録媒体。
【請求項４】
コンピュータを、
予め記録された対応付け情報を参照して、記録媒体に取り付けられた記録手段に記録されている前記記録媒体の識別情報から、前記記録媒体に記録されている元のデータに基づいて作成された縮小版データの保存場所を特定する情報を取得し、前記保存場所から前記縮小版データを読み取る手段、
前記縮小版データを表示手段に表示又は発音手段に発音させるデータ再生手段、として機能させることを特徴とする制御プログラム。
【請求項５】
コンピュータを、
予め記録された対応付け情報を参照して、記録媒体に取り付けられた記録手段に記録されている前記記録媒体の識別情報から、前記記録媒体に記録されている元のデータに基づいて作成された縮小版データの保存場所を特定する情報を取得し、前記保存場所に前記縮小版データが記録されている場合は該縮小版データを読み取り、前記保存場所に前記縮小版データが記録されていない場合は前記元のデータに基づいて縮小版データを作成する手段、
読み取った前記縮小版データ又は作成された前記縮小版データを表示手段に表示又は発音手段に発音させるデータ再生手段、として機能させることを特徴とする制御プログラム。
【請求項６】
前記元のデータは画像データ、動画データ又は音楽データのいずれかを含み、前記縮小版データは前記画像データのサイズを縮小したデータ、動画データの再生時間を短縮したデータ又は音楽データの再生時間を短縮したデータのいずれかを含むことを特徴とする請求項４又は５に記載の制御プログラム。
【請求項７】
前記データ再生手段は、前記画像データに基づいて作成された複数の前記縮小版データは、前記表示手段に個別に表示又は一覧形式で表示又はスライドショーとして表示させ、前記音楽データに基づいて作成された複数の前記縮小版データは、発音手段に個別に再生又は連続して再生させることを特徴とする請求項６記載の制御プログラム。
【請求項８】
記録媒体に取り付けられた記録手段に記録されている前記記録媒体の識別情報を読み取る手段と、
予め記録された対応付け情報を参照して、前記識別情報から、前記記録媒体に記録されている元のデータに基づいて作成された縮小版データの保存場所を特定する情報を取得し、前記保存場所から前記縮小版データを読み取る手段と、
読み取った前記縮小版データを表示手段に表示又は発音手段に発音させるデータ再生手段と、を少なくとも備えることを特徴とする再生装置。
【請求項９】
記録媒体に取り付けられた記録手段に記録されている前記記録媒体の識別情報を読み取る手段と、
予め記録された対応付け情報を参照して、前記識別情報から、前記記録媒体に記録されている元のデータに基づいて作成された縮小版データの保存場所を特定する情報を取得し、前記保存場所に前記縮小版データが記録されている場合は該縮小版データを読み取り、前記保存場所に前記縮小版データが記録されていない場合は前記元のデータに基づいて縮小版データを作成する手段、
読み取った前記縮小版データ又は作成された縮小版データを表示手段に表示又は発音手段に発音させるデータ再生手段と、を少なくとも備えることを特徴とする再生装置。
【請求項１０】
前記元のデータは画像データ、動画データ又は音楽データのいずれかを含み、前記縮小版データは前記画像データのサイズを縮小したデータ、動画データの再生時間を短縮したデータ又は音楽データの再生時間を短縮したデータのいずれかを含むことを特徴とする請求項８又は９に記載の再生装置。
【請求項１１】
前記データ再生手段は、前記画像データに基づいて作成された複数の前記縮小版データは、前記表示手段に個別に表示又は一覧形式で表示又はスライドショーとして表示させ、前記音楽データに基づいて作成された複数の前記縮小版データは、発音手段に個別に再生又は連続して再生させることを特徴とする請求項１０記載の再生装置。
【請求項１２】
前記記録手段はＲＦＩＤタグ又はバーコードであり、前記識別情報を読み取る手段はＲＦＩＤリーダ又はバーコードリーダであることを特徴とする請求項８乃至１１のいずれか一に記載の再生装置。
【発明の詳細な説明】
【技術分野】
【０００１】
本発明は、データを再生するための再生装置及び制御プログラム並びに記録媒体に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データを、例えば、ＤＶＤプレーヤやＤＶＤレコーダ、ゲーム機のような画像再生機器で再生することができるようにファイル形式を変換し、元の画像データと変換した画像データとをＣＤ−Ｒ、ＤＶＤ−Ｒなどの記録媒体に書き込むサービスや、音楽データをＣＤプレーヤやＭＰ３プレーヤなどの音楽再生機器で再生することができるようにファイル形式を変換してＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを頻繁に利用すると、画像データや音楽データが記録された記録媒体の数が多くなり、どの記録媒体にどのようなデータが書き込まれているかを判別するのが困難になる。そのため、従来は、画像データや音楽データが書き込まれた記録媒体をパソコンに挿入し、パソコンにインストールされているアプリケーションを用いて画像データや音楽データを再生したり、記録媒体を画像再生機器に挿入して動画データを表示したり、記録媒体を音楽再生機器に挿入して音楽データを再生することにより記録媒体に記録されているデータの内容を確認していた。
【０００７】
しかしながら、記録媒体に記録されている画像データや音楽データのデータサイズが大きいため、これらのデータを一旦パソコンや画像再生機器、音楽再生機器などに取り込んで再生するには時間がかかり、多数の記録媒体の中から所望のデータを簡単に検索することができないという問題があった。
【０００８】
本発明は、上記問題点に鑑みてなされたものであって、その主たる目的は、多数の記録媒体の中から所望の画像データや音楽データを簡単に検索することができる再生装置及び制御プログラム並びに記録媒体を提供することにある。
【課題を解決するための手段】
【０００９】
上記目的を達成するため、本発明の記録媒体は、記録領域に記録されている元のデータに基づいて作成された縮小版データの保存場所を特定する情報に対応づけられた記録媒体の識別情報が記録された記録手段が、前記記録領域とは異なる場所に取り付けられているものである。
【００１０】
本発明においては、前記元のデータは、画像データ、動画データ又は音楽データのいずれかを含み、前記縮小版データは、前記画像データのサイズを縮小したデータ、動画データの再生時間を短縮したデータ又は音楽データの再生時間を短縮したデータのいずれかを含むことが好ましく、前記記録手段は、ＲＦＩＤタグ又はバーコードとすることができる。
【００１１】
また、本発明に制御プログラムは、コンピュータを、予め記録された対応付け情報を参照して、記録媒体に取り付けられた記録手段に記録されている前記記録媒体の識別情報から、前記記録媒体に記録されている元のデータに基づいて作成された縮小版データの保存場所を特定する情報を取得し、前記保存場所から前記縮小版データを読み取る手段、前記縮小版データを表示手段に表示又は発音手段に発音させるデータ再生手段、として機能させるものである。
【００１２】
また、本発明に制御プログラムは、コンピュータを、予め記録された対応付け情報を参照して、記録媒体に取り付けられた記録手段に記録されている前記記録媒体の識別情報から、前記記録媒体に記録されている元のデータに基づいて作成された縮小版データの保存場所を特定する情報を取得し、前記保存場所に前記縮小版データが記録されている場合は該縮小版データを読み取り、前記保存場所に前記縮小版データが記録されていない場合は前記元のデータに基づいて縮小版データを作成する手段、読み取った前記縮小版データ又は作成された前記縮小版データを表示手段に表示又は発音手段に発音させるデータ再生手段、として機能させるものである。
【００１３】
また、本発明の再生装置は、記録媒体に取り付けられた記録手段に記録されている前記記録媒体の識別情報を読み取る手段と、予め記録された対応付け情報を参照して、前記識別情報から、前記記録媒体に記録されている元のデータに基づいて作成された縮小版データの保存場所を特定する情報を取得し、前記保存場所から前記縮小版データを読み取る手段と、読み取った前記縮小版データを表示手段に表示又は発音手段に発音させるデータ再生手段と、を少なくとも備えるものである。
【００１４】
また、本発明の再生装置は、記録媒体に取り付けられた記録手段に記録されている前記記録媒体の識別情報を読み取る手段と、予め記録された対応付け情報を参照して、前記識別情報から、前記記録媒体に記録されている元のデータに基づいて作成された縮小版データの保存場所を特定する情報を取得し、前記保存場所に前記縮小版データが記録されている場合は該縮小版データを読み取り、前記保存場所に前記縮小版データが記録されていない場合は前記元のデータに基づいて縮小版データを作成する手段、読み取った前記縮小版データ又は作成された縮小版データを表示手段に表示又は発音手段に発音させるデータ再生手段と、を少なくとも備えるものである。
【００１５】
本発明においては、前記元のデータは画像データ、動画データ又は音楽データのいずれかを含み、前記縮小版データは前記画像データのサイズを縮小したデータ、動画データの再生時間を短縮したデータ又は音楽データの再生時間を短縮したデータのいずれかを含むことが好ましく、前記データ再生手段は、前記画像データに基づいて作成された複数の前記縮小版データは、前記表示手段に個別に表示又は一覧形式で表示又はスライドショーとして表示させ、前記音楽データに基づいて作成された複数の前記縮小版データは、発音手段に個別に再生又は連続して再生させる構成とすることができる。
【００１６】
また、本発明においては、前記記録手段はＲＦＩＤタグ又はバーコードであり、前記識別情報を読み取る手段はＲＦＩＤリーダ又はバーコードリーダとすることができる。
【００１７】
このように、本発明では、記録媒体に記録されている又は再生装置にバックアップされている元の画像データや音楽データを読み出して表示手段や発音手段で再生するのではなく、記録媒体に取り付けられたＩＤ情報記録手段に記録されたＩＤ情報を読み取って、予め記録された対応付け情報を参照して、該ＩＤ情報に対応づけられた保存場所特定情報を取得し、該保存場所特定情報に基づいて、元の画像データや音楽データに基づいて作成されたデータサイズが縮小された縮小版データを読み出して表示手段や発音手段で再生する。これにより、データサイズの大きい元の画像データや音楽データを再生しなくても記録媒体に記録されたデータの内容を確認することができるため、多数の記録媒体の中から所望の画像データや音楽データを簡単に検索することができる。
【発明の効果】
【００１８】
本発明によれば、多数の記録媒体の中から所望の画像データや音楽データ、映像データを簡単に検索することができる。
【００１９】
その理由は、本発明の記録媒体には元の画像データや音楽データの記録領域とは異なる位置（例えば、ディスク型記録媒体のレーベル面など）に、元の画像データや音楽データに基づいて作成された縮小版データの保存場所を特定する保存場所特定情報に対応づけられたＩＤ情報が記録されたＩＤ情報記録手段（ＲＦＩＤタグやバーコード）が取り付けられ、再生装置又は制御プログラムでは、ＩＤ情報記録手段からＩＤ情報を読み取ると、予め記録された対応付け情報を参照して、該ＩＤ情報に対応づけられた保存場所特定情報を取得し、該保存場所特定情報に基づいて、縮小版データ（サムネイル画像データ、再生時間の短い音楽データや動画データなど）を読み出して表示手段又は発音手段で再生するため、記録媒体に記録されたデータの内容を容易に確認することができるからである。
【発明を実施するための最良の形態】
【００２０】
本発明に係る制御プログラムは、その好ましい一実施の形態において、コンピュータを、記録媒体に取り付けられたＩＤ情報記録手段に記録された該記録媒体のＩＤ情報をＩＤ情報読み取り手段に読み取らせる手段、予め記録された対応付け情報を参照して、該ＩＤ情報に対応づけられた、該記録媒体に記録されている元の画像データや音楽データに基づいて作成された縮小版データの保存場所を特定する保存場所特定情報を取得し、該保存場所特定情報に基づいて縮小版データを読み取る手段、読み取った縮小版データを表示手段や発音手段に再生させる手段、として機能させるものであり、元の画像データや音楽データを読み取って再生しなくても記録媒体にどのようなデータが記録されているかを簡単に確認することができるため、多数の記録媒体の中から所望の画像データや音楽データを簡単に検索することができる。以下、上記実施形態について詳細に説明すべく、本発明の実施例について図面を参照して説明する。
【実施例１】
【００２１】
まず、本発明の第１の実施例に係る再生装置及び制御プログラム並びに記録媒体について、図１乃至図１０を参照して説明する。図１は、本実施例に係る情報記録装置及び再生装置の構成を模式的に示す図であり、図２乃至図５は、再生装置の他の構成を模式的に示す図である。また、図６は、再生装置の機能を示すブロック図であり、図７は、本実施例に係る記録媒体の作成手順を示すフローチャート図、図８は、本実施例に係るデータの再生手順を示すフローチャート図である。また、図９及び図１０は、データの記録構造を示す図である。
【００２２】
図１に示すように、本実施例のシステムは、画像データ（静止画像データ、動画データ、画像情報を含むデータ）や音楽データなど（以下、これらを総称して単にデータと呼ぶ。）を記録媒体９に記録する情報記録装置１と、該記録媒体９に記録されている元のデータのサイズ等を縮小して作成した縮小版データ（以下、ダイジェストデータと呼ぶ。）を自動的に読み出して再生する再生装置１０とを少なくとも備えている。
【００２３】
また、情報記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク２２を介してサーバ２３からデータをダウンロードするネットワーク接続部等のデータ入力手段と、メディア８やデジタルカメラ７から読み取った、又はサーバ２３からダウンロードした画像データや音楽データなどが記録されるＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。なお、図１では情報記録装置１として写真店やコンビニエンスストアなどの店舗に設置される無人端末（キオスク）を用いているが、入力手段や記録手段を備えた専用のセットトップボックスやポータブルライター、パソコンなどとしてもよい。
【００２４】
また、情報記録装置１で作成される記録媒体９には、画像データや音楽データの記録領域とは異なる部分に（例えば、ディスク型記録媒体のレーベル面など）に、該記録媒体９を識別するための情報（以下、ＩＤ情報と呼ぶ。）が記録されたＩＤ情報記録手段９ａが取り付けられている。このＩＤ情報記録手段９ａはＩＤ情報を読み取り可能に記録することができるものであればよく、例えば、電磁結合又は電磁誘導を利用してＩＣに記録された情報の交信が可能なＲＦＩＤ（Radio Frequency Identification）タグやバーコードなどを用いることができる。
【００２５】
また、本実施例の再生装置１０は、上記記録媒体９を装填する記録媒体装填部１１ａや後述するＩＤ情報読み取り手段１６、記録手段などを備える本体１１と、画像データを再生するモニタ等の表示手段１２と、音楽データを再生するスピーカー等の発音手段１３とを備えている。なお、図１では再生装置１０としてパソコンを用いる場合を示しているが、再生装置１０の形態は任意であり、例えば、図２に示すようにＨＤＤなどの記録手段を備えるホームサーバ、ＨＤＤレコーダやＤＶＤレコーダ、ゲーム機としたり、図３に示すように専用のセットトップボックスとしたり、図４に示すようにポータブルライターなどとしてもよいし、図５に示すようにＨＤＤなどの記録手段を備えるナビゲーション装置などとしてもよい。
【００２６】
上記再生装置１０の機能をブロック図で示すと図６のようになる。すなわち、記録媒体装填部１１ａ等を用いて記録媒体９に記録されたデータを入力するデータ入力手段１４と、記録媒体９に取り付けられたＩＤ情報記録手段９ａから該記録媒体９のＩＤ情報を読み取るＩＤ情報読み取り手段１６と、データ入力手段１４で入力された元のデータを記録する元データ記録手段２０と、元のデータに基づいて作成されたサイズが縮小されたダイジェストデータを記録するダイジェストデータ記録手段１９と、ＩＤ情報とダイジェストデータが記録された位置を特定する情報（以下、保存場所特定情報と呼ぶ。）とを対応づける情報（以下、対応付け情報）を記録する対応付け情報記録手段１８と、対応付け情報を参照してＩＤ情報に対応づけられた保存場所からダイジェストデータを読み取る制御を行う読み取り制御手段１７と、元のデータやダイジェストデータを表示する表示手段１２や発音する発音手段１３等のデータ再生手段１５と、必要に応じて元のデータからダイジェストデータを作成するデータ変換手段２１とを備えている。なお、上記各手段は再生装置１０にハードウェアとして構成されていてもよいが、コンピュータを、少なくとも読み取り制御手段１７として機能させる制御プログラムとして構成し、該プログラムを再生装置１０やパソコン等にインストールして実行する構成とすることもできる。
【００２７】
次に、上記情報記録装置１を用いて記録媒体９を作成する手順について、図７のフローチャート図を参照して説明する。
【００２８】
まず、ステップＳ１０１で、情報記録装置１のメディア装填部２にメディア８を装填、又は、機器接続部３にデジタルカメラ７やカメラ付き携帯電話機７ａを接続、又はネットワーク接続部を通信ネットワーク２２に接続すると共に、記録媒体装填部４に記録媒体９を装填する。なお、この記録媒体９には、上述したようにデータの記録領域とは異なる部分（例えば、ディスク型記録媒体表面のレーベル面など）に該記録媒体９のＩＤ情報が記録されたＩＤ情報記録手段９ａが取り付けられている。このＩＤ情報は記録媒体９を識別できる情報が含まれていればよく、情報記録装置１毎に付与されるシリアル番号などを用いてもよいが、複数の記録媒体９が存在する場合にＩＤ情報が重複しないように、ロケーションや装置、書き込み年月日に関連する情報やシーケンシャル番号などを組み合わせてユニークな構成とすることが好ましい。
【００２９】
次に、ステップＳ１０２で、デジタルカメラ７やメディア８の所定のエリアに格納されたデータやサーバ２３に記録されたデータを読み取り、必要に応じて、ステップＳ１０３で、読み取った画像データや音楽データに基づいてＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換したり、読み取った音楽データをＣＤプレーヤやＭＰ３プレーヤで読み取り可能なデータ（ＷＡＶ、ＷＭＡ、ＭＰ３、アトラック形式、ＣＤ−Ａｕｄｉｏ形式、ＤＶＤーＡｕｄｉｏ形式などのデータ）に変換する。また、必要に応じて、画像データや音楽データのサイズを縮小したダイジェストデータ（ダイジェストデータの作成方法は後述する。）を作成する。なお、画像データや音楽データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３０】
次に、ステップＳ１０４で、データ転送手段は、変換された動画データや関連付けファイル等（以下、これらを総称して画像再生機器用データ群と呼ぶ。）を記録手段に予め設けた書き込み用の所定のフォルダに転送する。すると、データ記録手段は、該フォルダから画像再生機器用データ群を読み出して、記録媒体９の論理アドレス領域の内側に記録する。
【００３１】
次に、ステップＳ１０５で、データ記録手段は、パソコン用又は音楽再生機器用のデータの記録を行う前に、画像再生機器で使用可能なデータの領域を区分するために一旦セッションをクローズする。
【００３２】
次に、ステップＳ１０６で、データ転送手段は、入力された画像データや変換された音楽データ、画像データや音楽データに基づいて音楽付きスライドショーを再生するためのアプリケーション、スライドショーの設定ファイル等（以下、これらを総称してパソコン用又は音楽再生機器用データ群と呼ぶ。）を記録手段に予め設けた書き込み用の所定のフォルダに転送する。すると、データ記録手段は、該フォルダからパソコン又は音楽再生機器用データ群を読み出して、記録媒体９に先に記録された画像再生機器用データ群の外側に記録して一連の書き込み処理を終了する。
【００３３】
上記手順で作成された記録媒体９のデータ構造は、例えば、図９に示すようになり、所定のフォルダに格納された元の画像データや音楽データと、スライドショープログラムなどのアプリケーション、スライドショーの設定ファイル、自動再生のためのファイルなどでパソコン用データ群が構成され、画像データをＶｉｄｅｏ−ＣＤ形式、ＤＶＤ−Ｖｉｄｅｏ形式、ＨＤＴＶ形式用データ等として関連付けるファイルを格納するフォルダ（VCD）、ＴＶ画面に表示する画像データを格納するフォルダ（segment）、動画データを格納するフォルダ（MPEGAV）、ＴＶ画面に静止画像データを表示するためのアプリケーションなどを格納するフォルダ（DAT）などで画像再生機器用データ群が構成され、また、音楽再生機器で直接再生可能な音楽データなどで音楽再生機器用データ群が構成される。
【００３４】
なお、元の画像データや音楽データを格納するフォルダの名称やフォルダの階層構造は任意であるが、元の画像データや音楽データを再生装置１０などにバックアップした場合における管理を容易にするためにユニークなフォルダ名を付与してもよい。例えば、図９に示すような名称のフォルダ（PR_XXXXXXX_yymmdd_TTCCCNNN：XXXXXXXは書き込みが行われるロケーション、装置ごとの固有ＩＤ情報などのロケーションＩＤ、yymmddは書き込み年月日を特定する数字、TTは装置を特定する数字(マシン通し番号など)、CCCはシーケンシャル番号、NNNは所定の単位毎（例えば、メディア毎や機器毎など）のシーケンシャル番号）を作成して、パソコン用のデータを格納してもよいし、メディア毎や機器毎の元の画像データや音楽データを格納するフォルダの上位に別のフォルダ（例えば、PS_IMAGEなど）を作成してデータ構造を明確にしてもよい。
【００３５】
また、上記手順では、記録媒体９に予めＩＤ情報が記録されたＩＤ情報記録手段９ａが取り付けられている構成としたが、情報記録装置１内にＩＤ情報記録手段９ａにＩＤ情報を書き込む手段を設けておき、記録媒体９に所望のデータを記録した後にＩＤ情報記録手段９ａにＩＤ情報を書き込む構成としても良い。
【００３６】
次に、上記情報記録装置１で作成された記録媒体９を用いて再生装置１０でデータを再生する手順について図８のフローチャート図を参照して説明する。
【００３７】
まず、ステップＳ２０１で、ＩＤ情報記録手段９ａが取り付けられた記録媒体９を再生装置１０の記録媒体装填部１１ａに挿入すると、ステップＳ２０２で、再生装置１０はＩＤ情報読み取り手段１６を用いて、ＩＤ情報記録手段９ａに記録された記録媒体９のＩＤ情報を読み取る。
【００３８】
次に、ステップＳ２０３で、読み取り制御手段１７は、対応付け情報記録手段１８に記録された対応付け情報を参照して、ＩＤ情報読み取り手段１６で読み取ったＩＤ情報に対応づけられた保存場所特定情報を取得する。この保存場所特定情報は読み取り制御手段１７が記録手段におけるダイジェストデータの保存場所を特定できる情報であればよく、その具体的構成は任意であるが、例えば、ダイジェストデータが格納されているフォルダの名称や記録手段上の番地情報などを用いることができる。また、対応付け情報はＩＤ情報と保存場所特定情報との関係を明確にできる情報であればよく、その具体的構成は任意である。
【００３９】
次に、ステップＳ２０４で、読み取り制御手段１７は、取得した保存場所特定情報で特定される保存場所に、記録媒体９に記録された元の画像データや音楽データに基づいて作成されたダイジェストデータが記録されているかを判断し、記録されている場合は、ステップＳ２０５でダイジェストデータを読み取る。
【００４０】
また、ダイジェストデータが記録されていない場合は、ステップＳ２０６で、記録媒体９に記録された画像データや音楽データがバックアップデータとして元データ記録手段２０に記録されているかを判断し、元データが記録されている場合は、ステップＳ２０７でデータ変換手段２１を用いてダイジェストデータを作成する。このダイジェストデータの作成方法として、例えば、元データが画像データの場合は、画素数やサイズ、色数などを減縮したサムネイル画像データを作成し、元データが音楽データの場合は、楽曲の一部（例えば、初めの１フレーズなど）を切り取ったり再生スピードを速くする等によりサイズを縮小した縮小版音楽データを作成し、ステップＳ２０８で作成したダイジェストデータをダイジェストデータ記録手段１９に記録する。また、必要に応じて、ステップＳ２０９でＩＤ情報とダイジェストデータの記録場所とを対応づける対応付け情報を作成して対応付け情報記録手段１８に記録する。なお、ダイジェストデータとして、サムネイル画像データや縮小版音楽データに代えて、又はサムネイル画像データや縮小版音楽データに加えて、画像データや音楽データのファイル名を記載したテキストデータを用いてもよい。また、記録媒体９に予めダイジェストデータが記録されている場合は、ステップＳ２０７のダイジェストデータの作成に代えて、記録媒体９からダイジェストデータを読み込んでもよい。
【００４１】
また、ダイジェストデータがダイジェストデータ記録手段１９に記録されておらず、また、元のデータも元データ記録手段２０に記録されていない場合は、ステップＳ２１０でデータ入力手段１４を用いて、記録媒体９にから画像データや音楽データを読み取り、ステップＳ２１１でデータ変換手段２１を用いてダイジェストデータを作成した後、ステップＳ２１２で読み取った元のデータを元データ記録手段２０に記録すると共に、作成したダイジェストデータをダイジェストデータ記録手段１９に記録する。また、必要に応じて、ステップＳ２１３でＩＤ情報とダイジェストデータの記録場所とを対応づける対応付け情報を作成して対応付け情報記録手段１８に記録する。この場合においても、記録媒体９に予めダイジェストデータが記録されている場合は、記録媒体９からダイジェストデータを読み込んでもよい。
【００４２】
なお、元データやダイジェストデータの再生装置１０内における記録構造は任意であるが、例えば、図１０に示すように元の画像データが格納されるフォルダ内に別にフォルダ（ＴＨＭ）を作成してサムネイル画像データを格納したり、元の音楽データが格納されるフォルダ内に別にフォルダ（ＳＮＤ）を作成して縮小版音楽データを格納する構成とすることができる。また、画像データや音楽データが格納されていることを示すフォルダ（PS_IMAGE）や、書き込みが行われるロケーション、装置ごとの固有ＩＤ情報などのロケーションＩＤ、書き込み年月日を特定する数字、装置を特定する数字、シーケンシャル番号、所定の単位毎（例えば、メディア毎や機器毎など）のシーケンシャル番号などを用いて作成したユニークなフォルダ（PR_XXXXXXX_yymmdd_TTCCCNNN）などを用いることにより元データやダイジェストデータの読み出しや管理を容易にすることができる。
【００４３】
次に、ステップＳ２１４で、データ再生手段１５は、予め記録されたダイジェストデータ又はデータ変換手段２１で作成されたダイジェストデータを、予め再生装置１０にインストールされている所定の画像表示プログラムなどを用いて表示手段１２に表示させたり、所定の音楽再生プログラムなどを用いて発音手段１３で発音させる等により再生する。上記ダイジェストデータが複数の場合の再生方法としては、元データが画像データの場合は、画像表示プログラムを用いて表示手段１２に個別に表示したり、一覧形式で表示したり、スライドショープログラムを用いてスライドショーとして表示すればよく、元データが音楽データの場合は、音楽再生プログラムを用いてダイジェストデータを１つずつ再生したり、連続して再生すればよい。
【００４４】
そして、ステップＳ２１５で、ユーザは再生されたダイジェストデータを視聴して、所望の画像データや音楽データが記録媒体９に記録されているかを判断し、記録されている場合は、再生装置１０に予めインストールされている画像制御プログラムや音楽制御プログラムなどを用いて元の画像データや音楽データを再生したり、該データを用いた各種処理を行う。また、所望の画像データや音楽データが記録媒体９に記録されていない場合は、ステップＳ２１７で記録媒体９を記録媒体装填部１１ａから排出し、ステップＳ２０１に戻って同様の処理を行う。
【００４５】
このように、本実施例の再生装置１０は、記録媒体９に取り付けられたＩＤ情報記録手段９ａに記録されているＩＤ情報を読み取り、対応付け情報記録手段１８に記録された対応付け情報を参照して、該ＩＤ情報に対応付けられた保存場所特定情報を取得し、該保存場所特定情報を参照してダイジェストデータ記録手段１９に予め記録されたダイジェストデータや、データ変換手段２１を用いて元データに基づいて作成されたダイジェストデータを読み取り、表示手段１２や発音手段１３に再生する。これにより、ユーザは再生されたダイジェストデータを視聴することにより、記録媒体９に所望の画像データや音楽データが記録されているか否かを判断することができるため、元の画像データや音楽データを再生する場合に比べてデータの検索時間を大幅に短縮することができる。
【実施例２】
【００４６】
次に、本発明の第２の実施例に係る再生装置及び制御プログラム並びに記録媒体について、図１１及び図１２を参照して説明する。図１１は、本実施例に係る情報記録装置及び再生装置の構成を模式的に示す図であり、図１２は、本実施例に係る記録媒体の作成手順を示すフローチャート図である。
【００４７】
前記した第１の実施例では、記録媒体装填部１１ａの内部にＩＤ情報読み取り手段１６を設け、記録媒体９を装填したら自動的にＩＤ情報記録手段９ａからＩＤ情報を読み取る構成としたが、この構成では記録媒体９を一旦ケースから取り出して記録媒体装填部１１ａに装填しなければならず、多数の記録媒体９に記録されたデータの内容を確認する場合には時間がかかり不便である。そこで、本実施例では、ＩＤ情報読み取り手段１６を再生装置１０の外部に接続して、記録媒体９をケースに収納したままの状態で記録媒体９に記録されたデータの内容を確認できるようにしている。
【００４８】
具体的には、図１１に示すように、本実施例の再生装置１０の本体１１には、記録媒体９に取り付けられたＩＤ情報記録手段９ａに記録されたＩＤ情報を読み取るＲＦＩＤリーダやバーコードリーダなどのＩＤ情報読み取り手段１６が外付けされていることを特徴としている。なお、本実施例においても、図１１では再生装置１０としてパソコンを用いる場合を示しているが、再生装置１０の形態は任意であり、例えば、ＨＤＤなどの記録手段を備えるホームサーバ、ＨＤＤレコーダやＤＶＤレコーダ、ゲーム機や、専用のセットトップボックス、ポータブルライター、ＨＤＤなどの記録手段を備えるナビゲーション装置などとしてもよい。
【００４９】
上記再生装置１０でデータを再生する手順について図１２のフローチャート図を参照して説明する。
【００５０】
まず、ステップＳ３０１で、再生装置１０に外付けされたＩＤ情報読み取り手段１６をケースに収納された記録媒体９のＩＤ情報記録手段９ａにかざして、該ＩＤ情報記録手段９ａからＤ情報を読み取る。
【００５１】
次に、ステップＳ３０２で、読み取り制御手段１７は、対応付け情報記録手段１８に記録された対応付け情報を参照して、ＩＤ情報読み取り手段１６で読み取ったＩＤ情報に対応づけられた保存場所特定情報を取得する。
【００５２】
次に、ステップＳ３０３で、読み取り制御手段１７は、取得した保存場所特定情報で特定される保存場所に、記録媒体９に記録された画像データや音楽データに基づいて作成されたダイジェストデータが記録されているかを判断し、記録されている場合は、ステップＳ３０４でダイジェストデータを読み取る。
【００５３】
また、ダイジェストデータが記録されていない場合は、ステップＳ３０５で、記録媒体９に記録された画像データや音楽データがバックアップデータとして元データ記録手段２０に記録されているかを判断し、元データが記録されている場合は、ステップＳ３０６でデータ変換手段２１を用いてダイジェストデータを作成し、ステップＳ３０７で作成したダイジェストデータをダイジェストデータ記録手段１９に記録すると共に、必要に応じて、ステップＳ３０８でＩＤ情報とダイジェストデータの保存場所特定情報とを対応づける対応付け情報を作成して対応付け情報記録手段１８に記録する。
【００５４】
また、ダイジェストデータがダイジェストデータ記録手段１９に記録されておらず、また、元のデータも元データ記録手段１９に記録されていない場合は、ステップＳ３０９で記録媒体９を記録媒体装填部１１ａに挿入し、ステップＳ３１０でデータ入力手段１４を用いて、記録媒体９から画像データや音楽データを読み取り、ステップＳ３１１でデータ変換手段２１を用いてダイジェストデータを作成した後、ステップＳ３１２で読み取った元のデータを元データ記録手段２０に記録すると共に、作成したダイジェストデータをダイジェストデータ記録手段１９に記録する。また、必要に応じて、ステップＳ３１３でＩＤ情報とダイジェストデータの保存場所特定情報とを対応づける対応付け情報を作成して対応付け情報記録手段１８に記録する。なお、記録媒体９に予めダイジェストデータが記録されている場合は、記録媒体９からダイジェストデータを読み込んでもよい。
【００５５】
そして、ステップＳ３１４で、データ再生手段１５は、予め記録されたダイジェストデータ又はデータ変換手段２１で作成されたダイジェストデータを表示手段１２に表示させたり、発音手段１３で発音させる等により再生する。
【００５６】
そして、ステップＳ３１５で、ユーザは再生されたダイジェストデータを視聴して、所望の画像データや音楽データが記録媒体９に記録されているかを判断し、記録されている場合は、再生装置１０に予めインストールされている画像制御プログラムや音楽制御プログラムなどを用いて元の画像データや音楽データを再生したり、該データを用いた各種処理を行う。また、所望の画像データや音楽データが記録媒体９に記録されていない場合は、ステップＳ３０１に戻って同様の処理を行う。
【００５７】
このように、本実施例の再生装置１０は、記録媒体９に取り付けられたＩＤ情報記録手段９ａに記録されているＩＤ情報を読み取るＩＤ情報読み取り手段１６が外付けされているため、記録媒体９をケースに収納したまま、該記録媒体９に記録されている元の画像データや音楽データの内容を確認することができるため、記録媒体９に所望の画像データや音楽データが記録されているか否かをさらに迅速に判断することができる。
【図面の簡単な説明】
【００５８】
【図１】本発明の第１の実施例に係る情報記録装置及び再生装置の構成を示す外観図である。
【図２】本発明の第１の実施例に係る再生装置の他の構成を示す外観図である。
【図３】本発明の第１の実施例に係る再生装置の他の構成を示す外観図である。
【図４】本発明の第１の実施例に係る再生装置の他の構成を示す外観図である。
【図５】本発明の第１の実施例に係る再生装置の他の構成を示す外観図である。
【図６】本発明の第１の実施例に係る再生装置の機能を示すブロック図である。
【図７】本発明の第１の実施例に係る情報記録装置を用いた情報記録媒体の作成手順を示すスローチャート図である。
【図８】本発明の第１の実施例に係る再生装置を用いたデータの再生手順を示すフローチャート図である。
【図９】本発明の第１の実施例の記録媒体におけるデータの記録構造を示す図である。
【図１０】本発明の第１の実施例の再生装置におけるデータの記録構造を示す図である。
【図１１】本発明の第２の実施例に係る情報記録装置及び再生装置の構成を示す外観図である。
【図１２】本発明の第２の実施例に係る再生装置を用いたデータの再生手順を示すフローチャート図である。
【符号の説明】
【００５９】
１  情報記録装置
２  メディア装填部
３  機器接続部
４  記録媒体装填部
５  表示部
６  操作部
７  デジタルカメラ
７ａ  カメラ付き携帯電話機
８  メディア
９  記録媒体
９ａ  ＩＤ情報記録手段
１０  再生装置
１１  本体
１１ａ  記録媒体装填部
１２  表示手段
１３  発音手段
１４  データ入力手段
１５  データ再生手段
１６  ＩＤ情報読み取り手段
１７  読み取り制御手段
１８  対応付け情報記録手段
１９  ダイジェストデータ記録手段
２０  元データ記録手段
２１  データ変換手段
２２  通信ネットワーク
２３  サーバ
【図１】
2005166131.tif 000003
【図２】
2005166131.tif 000004
【図３】
2005166131.tif 000005
【図４】
2005166131.tif 000006
【図５】
2005166131.tif 000007
【図６】
2005166131.tif 000008
【図７】
2005166131.tif 000009
【図８】
2005166131.tif 000010
【図９】
2005166131.tif 000011
【図１０】
2005166131.tif 000012
【図１１】
2005166131.tif 000013
【図１２】
2005166131.tif 000014